(57)【特許請求の範囲】
【請求項１】
配線を識別するための配線用表示装置であって、
前記配線に取り付けられる取り付けバンドと、
一端部が前記取り付けバンドに取り付けられ、前記配線を識別するための標識が表記されると共に伸縮が自在で可撓性のある表示札と、
を備え、前記表示札は縮んだ状態で前記取り付けバンドに収まっており、
前記表示札の他端部に設けられると共に、磁気を帯びている吸着部を備え、
前記取り付けバンドは磁石が付く材料で作られていることを特徴とする配線用表示装置。
【請求項２】
前記表示札の他端側に設けられると共に該表示札を引っ張って伸ばすための把持部を備えることを特徴とする請求項１に記載の配線用表示装置。
【請求項３】
前記配線が光ファイバコードであり、
前記取り付けバンドは前記光ファイバコードのハウジングに嵌合する四角形状をしていることを特徴とする請求項１または２に記載の配線用表示装置。
【請求項４】
前記配線が光ファイバコードであり、
前記取り付けバンドは前記光ファイバコードの光コードに嵌合する円形状をしていることを特徴とする請求項１または２に記載の配線用表示装置。
【請求項５】
前記表示札は前記取り付けバンドの外側に丸まって形成されていることを特徴とする請求項１〜４のいずれか１項に記載の配線用表示装置。
【発明の詳細な説明】
【技術分野】
【０００１】
この発明は、光配線盤に接続される光ファイバコードのような配線の用途・接続先等を表示する配線用表示装置に関する。
【背景技術】
【０００２】
光通信用の配線には、光ファイバコードが用いられることが多い。光ファイバコードには、例えば直径２ｍｍの比較的細い光コードの端部に、外径８．５ｍｍ程度の小型のコネクタプラグが使用されている場合がある。また、これらのコネクタプラグが接続される光ファイバコード用の光配線盤は、光ファイバコードの光コードの細さと、コネクタプラグの小ささとを活かして省スペース化をするために、全体的に小さく形成されていることが多くなる。したがって、光配線盤では光ファイバコードの配線密度が高くなると共に、コネクタプラグ間の間隔も狭くなる。
【０００３】
一方、光ファイバコードの配線変更作業における配線の誤認等を防止し、作業性を向上するためには、光配線盤に接続されている各光ファイバコードのコネクタプラグ付近に、用途・接続先などを表記した表示札を付けることが有効である。例えば、図１４に示す光配線盤２００では、複数の光接続ユニット２１０が並んで設けられ、光接続ユニット２１０には、複数のアダプタ２１１が設けられている。アダプタ２１１は、例えば３０ｍｍピッチで配置されている。アダプタ２１１には、光ファイバコード３００が光通信可能に接合されている。こうした光配線盤２００では、アダプタ２１１に接続された光ファイバコード３００が密集状態となり、光ファイバコード３００に表示札３１０を取り付けた場合、表示札３１０が互いに重なり合うなどして、表記された用途・接続先などの視認が困難になってしまう。
【０００４】
こうした場合でも、光ファイバコードに表記された用途・接続先などを見やすくするためのケーブル用識別タグがある（例えば、特許文献１参照。）。このケーブル用識別タグは、光コードに対する取り付け用のスパイラル管と、このスパイラル管に設けられている表示板を備えている。表示板を取り付ける際には、スパイラル管を開いてから、螺旋状に光コードに巻き付けるようにする。これにより、ケーブル用識別タグが小型になり、また、表示板が光コードの側面方向から取り付けられる。さらに、容易に表示板がケーブルに取り付けられ、ケーブルが屈曲されることなく表示板が取り付けられる、というものである。
【特許文献１】特開２００４−２９７８４８号公報
【発明の開示】
【発明が解決しようとする課題】
【０００５】
しかし、先に述べたケーブル用識別タグには次の課題がある。このケーブル用識別タグでは、表示板をスパイラル管で光コードに取り付けるので、多数の光ファイバコードにケーブル用識別タグをそれぞれ取り付けた場合、スパイラル管の取り付け、つまり、光ファイバコードの周壁に対するスパイラル管の取り付け位置等によっては、表示板が互いに重なり合うなどして、表記された用途・接続先などの視認が困難になる。また、表示板に多くの内容を表記するためには、大きなものが必要となり、他の光ファイバコードの邪魔となる。
【０００６】
この発明の目的は、前記の課題を解決し、コードやケーブル類の用途・接続先などの視認を容易にして作業性の向上を実現し、また、多くの内容を表記しても邪魔になることがない配線用表示装置を提供することにある。
【課題を解決するための手段】
【０００７】
前記の課題を解決するために、請求項１の発明は、配線を識別するための配線用表示装置であって、前記配線に取り付けられる取り付けバンドと、一端部が前記取り付けバンドに取り付けられ、前記配線を識別するための標識が表記されると共に伸縮が自在で可撓性のある表示札と、を備え、前記表示札は縮んだ状態で前記取り付けバンドに収まっており、前記表示札の他端部に設けられると共に、磁気を帯びている吸着部を備え、前記取り付けバンドは磁石が付く材料で作られていることを特徴とする配線用表示装置である。
【０００８】
請求項１の発明では、取り付けバンドを配線に取り付けると、表示札の一端部が配線に取り付けられる。表示札には、配線を識別するための標識が表記される。さらに、この表示札は、伸縮が自在で可撓性のあるゴムのようなもので作られている。そして、表示札は縮んだ状態で取り付けバンドに収まり、この表示札を引っ張って伸ばすことで、標識が表示される。
【００１０】
請求項２の発明は、請求項１に記載の配線用表示装置において、前記表示札の他端側に設けられると共に該表示札を引っ張って伸ばすための把持部を備えることを特徴とする。
【００１１】
請求項３の発明は、請求項１または２のいずれか１項に記載の配線用表示装置において、前記配線が光ファイバコードであり、前記取り付けバンドは前記光ファイバコードのハウジングに嵌合する四角形状をしていることを特徴とする。
【００１２】
請求項４の発明は、請求項１または２のいずれか１項に記載の配線用表示装置において、前記配線が光ファイバコードであり、前記取り付けバンドは前記光ファイバコードの光コードに嵌合する円形状をしていることを特徴とする。
【００１３】
請求項５の発明は、請求項１〜４のいずれか１項に記載の配線用表示装置において、前記表示札は前記取り付けバンドの外側に丸まって形成されていることを特徴とする。
【発明の効果】
【００１４】
請求項１の発明によれば、表示札を引っ張ると、表記内容を直ちに、かつ、容易に視認することができる。また、表示札が縮んだ状態で収まっているので、標識の内容が多くなっても、他のコードやケーブルに対して邪魔になることがない。さらに、表示札は可撓性のあるもので作られているので、表示札を延ばす方向が任意であり、標識の視認性を高めることができる。
【００１５】
しかも、表示札の両端部に、磁石に付く金属等で作られた取り付けバンドと、磁気を帯びた吸着部を備えるので、可撓性のある表示札を折り曲げて確実に固定し、取り付けバンドに収めることができる。
【００１６】
請求項２の発明によれば、表示札を引っ張って表記内容を確認する作業を、把持部により容易に行うことを可能にする。
【００１７】
請求項３、４の発明によれば、表示札を光ファイバコードの光コードやコネクタプラグに取り付けることを可能にする。
【００１８】
請求項５の発明によれば、取り付けバンドの外側に表示札を丸めて形成したので、配線用表示装置をさらに小型にすることができる。
【発明を実施するための最良の形態】
【００１９】
次に、この発明の各実施の形態について、図面を用いて詳しく説明する。
【００２０】
（実施の形態１）
この実施の形態による配線用表示装置について、図１〜図４を用いて説明する。図１の配線用表示装置１０は、光ファイバコード１００を取り付けの対象にしている。光ファイバコード１００は、光通信用の配線として用いられるものであり、光コード１１０とコネクタプラグ１２０を備えている。光コード１１０は、例えば２ｍｍ程度の比較的細い直径のコードであり、光通信では光信号の伝送路を構成する。光コード１１０は、例えば直径０．９ｍｍの光ファイバ芯線（図示を省略）が抗張力繊維等で補強され、さらに、プラスチック樹脂等で被覆されたものである。
【００２１】
光コード１１０の端部にはコネクタプラグ１２０が接続されている。コネクタプラグ１２０は、フェルール１２１、ハウジング１２２、プラグフレーム１２３およびカバー１２４を備えている。フェルール１２１は、光コード１１０の光ファイバ芯線（図示を省略）の端部に接続され、光信号の送受信部を構成する。フェルール１２１は、入ってくる光信号を光コード１１０に伝送すると共に、光コード１１０からの光信号を、対向する別のフェルールに伝送する。フェルール１２１は、プラグフレーム１２３の内部に収められて、外力から保護されている。
【００２２】
プラグフレーム１２３は、ハウジング１２２の内部に収められている。ハウジング１２２は例えばプラスチックで構成され、ハウジング１２２には滑り止め用の溝部１２２Ａが形成されている。つまり、溝部１２２Ａは、コネクタプラグ１２０の抜き差しの際に、作業者によって把持される部分である。作業者は、コネクタプラグ１２０の溝部１２２Ａの周辺を、例えば人指し指と親指でつまむことにより、コネクタプラグ１２０の抜き差しを行う。ハウジング１２２から外部に出る光コード１１０は、カバー１２４で被覆されている。カバー１２４は、柔軟性を持つ例えばプラスチック樹脂で形成され、光コード１１０に加わる曲げ力や張力等を緩和する。
【００２３】
こうした光ファイバコード１００のハウジング１２２の部分に、この実施の形態による配線用表示装置１０が取り付けられる。配線用表示装置１０は、ハウジング１２２に対して着脱自在である。配線用表示装置１０は、図２に示すように、取り付けバンド１１と表示具１２とで構成されている。取り付けバンド１１は、磁石が付く材料、例えば金属製で弾性のある板状のバンドを四角形状に加工したものである。この四角形状により、取り付けバンド１１がコネクタプラグ１２０のハウジング１２２に嵌合する。四角形状の取り付けバンド１１の一辺には、開口１１Ａが形成されている。つまり、開口１１Ａにより、取り付けバンド１１には、２つの脚部１１Ｂ、１１Ｃが形成されている。なお、脚部１１Ｂと脚部１１Ｃとは胴部１１Ｄによって連結された形となっている。取り付けバンド１１では、少なくとも光コード１１０を通すことができる程度に、開口１１Ａの両端部が離れている。つまり、取り付けバンド１１をコネクタプラグ１２０のハウジング１２２に嵌合する際に、光コード１１０を開口１１Ａに通して行う。
【００２４】
取り付けバンド１１の脚部１１Ｃには、表示具１２が設けられている。なお、表示具１２を設ける部分は、脚部１１Ｂや胴部１１Ｄであってもよい。表示具１２は、吸着部１２Ａと表示札１２Ｂとで構成されている。表示札１２Ｂは、伸縮自在で可撓性のある材料を四角形状に加工したものである。表示札１２Ｂが伸縮自在であるので、後述する吸着方向Ｄ１とは逆の、図３に示す反吸着方向Ｄ２に吸着部１２Ａを引っ張ると、表示札１２Ｂは伸びて長方形状となる。また、反吸着方向Ｄ２に引っ張っていた吸着部１２Ａを放すと、表示札１２Ｂは、図２に示すように元の状態に戻る。表示札１２Ｂとして使用される材料としては、天然ゴム、合成ゴム、ポリウレタンなどがある。これらの材料で作られた表示札１２Ｂは、伸縮が自在であると共に、伸びた状態はもちろん、縮んでいる状態でも、折り曲げや、たわめることが可能である。つまり、表示札１２Ｂには可撓性がある。
【００２５】
表示札１２Ｂと取り付けバンド１１との取り付けは次のとおりである。図４に示すように、表示札１２Ｂは、接着部分１２Ｂ１に塗布された接着剤により、取り付けバンド１１の脚部１１Ｃの表面に接着される。表示札１２Ｂが厚く、後述するように表示札１２Ｂを脚部１１Ｃに収めたときに、吸着部１２Ａが安定して脚部１１Ｃに吸着されない場合には、図５に示すように、脚部１１Ｃの表面から裏面に貫通するスリット１１Ｃ１を空け、スリット１１Ｃ１に表示札１２Ｂの接着部分１２Ｂ１を通し、脚部１１Ｃの裏面に接着部分１２Ｂ１を接着してもよい。
【００２６】
また、表示札１２Ｂとして、図６（ａ）に示すように、伸縮方向Ｄ３に伸縮する伸縮布１２Ｂ１と、伸縮しない表示用布１２Ｂ２とで構成したものを用いてもよい。伸縮布１２Ｂ１は、図６（ｂ）に示すように、天然ゴム、合成ゴム、ポリウレタンなどを用いて作られた伸縮する糸１２Ｂ１１と、伸縮しない糸１２Ｂ１２とを織って作ったものである。そして、表示用布１２Ｂ２の各接着部分１２Ｂ２１に接着剤を塗布して、表示用布１２Ｂ２がそれぞれ湾曲するように、表示用布１２Ｂ２を伸縮布１２Ｂ１に接着する。表示用布１２Ｂ２としては、文字等が書きやすい材料を用いる。なお、表示用布１２Ｂ２として紙のようなものを用いてもよい。
【００２７】
表示札１２Ｂの表面には、光ファイバコード１００の配線変更作業などの際に配線の誤認等を防止し、作業性を向上するために、光ファイバコード１００の用途・接続先などが標識として表記される。なお、図６の表示札１２Ｂの場合には、表示用布１２Ｂ２の表面に光ファイバコード１００に関連する標識が表記される。
【００２８】
表示具１２の吸着部１２Ａは、吸着部分１２Ａ１と把持部分１２Ａ２とで構成されている。吸着部分１２Ａ１は磁性を帯びた材料で作られている。磁性を帯びた材料としては、金属製やゴム製などの磁石を作るためのものがある。磁石が付く材料で取り付けバンド１１が作られているので、取り付けバンド１１の脚部１１Ｃと吸着部分１２Ａ１は吸着方向Ｄ１に向かって互いに引きあう。この結果、吸着部分１２Ａ１は、可撓性のある表示札１２Ｂを折り曲げるようにして、取り付けバンド１１に吸着する。
【００２９】
吸着部分１２Ａ１と表示札１２Ｂとの取り付けは次のとおりである。吸着部１２Ａは、先の図４に示すように、表示札１２Ｂの接着部分１２Ｂ２に塗布された接着剤により、取り付けバンド１１と対向する、吸着部分１２Ａ１の裏面に表示札１２Ｂが接着される。また、表示札１２Ｂが厚く、表示札１２Ｂを脚部１１Ｃに収めたときに、吸着部１２Ａが安定して脚部１１Ｃに吸着されない場合には、先の図５に示すように、吸着部分１２Ａ１の表面から裏面に貫通するスリット１２Ａ１１を空け、スリット１２Ａ１１に表示札１２Ｂの接着部分１２Ｂ２を通し、吸着部分１２Ａ１の表面に接着部分１２Ｂ２を接着してもよい。
【００３０】
表示具１２の把持部分１２Ａ２は、板状であり、吸着部分１２Ａ１の表面に対して直交するように、吸着部分１２Ａ１に設けられている。把持部分１２Ａ２は、金属やプラスチック樹脂等の任意の材料で作られている。把持部分１２Ａ２は、作業者の指によって持たれて、反吸着方向Ｄ２に表示具１２を引っ張るためのものである。なお、把持部分１２Ａ２の形状は板状に限られることなく、作業者が持ちやすければ、どのような形状でもよい。
【００３１】
こうした配線用表示装置１０は次のようにして用いられる。配線用表示装置１０を光ファイバコード１００に取り付ける前に、光ファイバコード１００の用途・接続先などを表す標識を、表示具１２の表示札１２Ｂに書き込んでおく。このとき、表示札１２Ｂを伸ばした状態で、表示札１２Ｂに標識を書き込む。
【００３２】
作業者は、光ファイバコード１００の用途・接続先などが表示札１２Ｂに書き込まれた配線用表示装置１０を、次のようにして取り付ける。作業者は、配線用表示装置１０の取り付けバンド１１に形成されている開口１１Ａを、光ファイバコード１００の光コード１１０に通す。この後、作業者は、配線用表示装置１０を光ファイバコード１００のハウジング１２２まで動かして、配線用表示装置１０の取り付けバンド１１をハウジング１２２に嵌合する。これにより、配線用表示装置１０が光ファイバコード１００に取り付けられる。
【００３３】
この後、光ファイバコード１００の用途・接続先などを確認する際には、作業者は、配線用表示装置１０の把持部分１２Ａ２を手に持って、反吸着方向Ｄ２に把持部分１２Ａ２を引っ張る。これにより、表示具１２の吸着部１２Ａが配線用表示装置１０の脚部１１Ｃから離れ、同時に、伸縮自在な表示札１２Ｂが伸び、表示札１２Ｂに表記されている、光ファイバコード１００の用途・接続先などを作業者が視認することができる。表示札１２Ｂには可撓性があるので、反吸着方向Ｄ２に引っ張って、表示札１２Ｂの表示内容を視認することはもちろん、任意の方向、例えば図７に示すように、反吸着方向Ｄ２と交差する交差方向Ｄ４に表示札１２Ｂを引っ張って、表示札１２Ｂの表示内容を視認することも可能である。
【００３４】
作業者が把持部分１２Ａ２を取り付けバンド１１の脚部１１Ｃに向かって動かすと、磁性を帯びた吸着部分１２Ａ１が脚部１１Ｃに吸着し、同時に、伸縮自在な表示札１２Ｂは、縮んで小さくなり、さらに表示札１２Ｂには可撓性があるので、表示札１２Ｂが折れ曲がって取り付けバンド１１の脚部１１Ｃに収まる。
【００３５】
こうして、この実施の形態によれば、把持部分１２Ａ２を引っ張れば、光ファイバコード１００に関する表記内容を直ちに視認することができるので、作業性の向上を実現することができる。また、この実施の形態によれば、表示札１２Ｂが伸縮自在であり、縮んでいる状態でも可撓性を持つので、標識の内容が多くなっても、表示札１２Ｂは縮んで折れ曲がり、取り付けバンド１１にコンパクトに収めることができる。この結果、表示札１２Ｂが他の光ファイバコードの邪魔になることがない。また、この実施の形態によれば、表示具１２の吸着部分１２Ａ１は取り付けバンド１１の脚部１１Ｃに吸着するので、取り付けバンド１１に収まった表示札１２Ｂを確実に脚部１１Ｃに固定することができ、例えば隣の光ファイバコードの配線用表示装置に接触して、これらの破損等を防ぐことができる。さらに、この実施の形態によれば、吸着部１２Ａと表示札１２Ｂとで表示具１２を構成したので、表示具１２を小型軽量にすることが可能である。
【００３６】
（実施の形態２）
この実施の形態では、実施の形態１の表示具１２を、光ファイバコード１００の光コード１１０やカバー１２４に取り付け可能にしたものである。この実施の形態による配線用表示装置を図８に示す。図８の配線用表示装置２０は、取り付けバンド２１と表示具２２で構成されている。取り付けバンド２１は、磁石が付く材料、例えば金属製で弾性のある板状のバンドを円形状に加工したものである。この円形状により、取り付けバンド２１がコネクタプラグ１２０のカバー１２４に嵌合する。また、光コード１１０に嵌合するための円形状であってもよい。円形状の取り付けバンド２１には、開口２１Ａが形成されている。取り付けバンド２１では、少なくとも光コード１１０を通すことができる程度に、開口２１Ａの両端部が離れている。つまり、取り付けバンド２１をコネクタプラグ１２０のハウジング１２２に嵌合する際に、光コード１１０を開口１１Ａに通して行う。
【００３７】
取り付けバンド２１の外壁に、表示具２２が設けられている。表示具２２は、吸着部２２Ａと表示札２２Ｂとで構成されている。表示札２２Ｂは、実施の形態１の表示札１２Ｂと同じであるので、この説明を省略する。また、表示札２２Ｂと取り付けバンド２１との取り付けも実施の形態１と同じである。
【００３８】
表示具２２の吸着部２２Ａは、吸着部分２２Ａ１と把持部分２２Ａ２とで構成されている。吸着部分２２Ａ１は、実施の形態１と同様に磁性を帯びた材料で作られ、かつ、取り付けバンド２１の外壁と密着して重なり合うように湾曲している。磁石が付く材料で取り付け部２１が作られているので、実施の形態１と同様に、吸着部分２２Ａ１は、可撓性のある表示札２２Ｂを折り曲げるようにして、取り付けバンド２１に吸着する。
【００３９】
吸着部分２２Ａ１と表示札２２Ｂとの取り付けは実施の形態１と同様であるので、この説明を省略する。また、把持部分２２Ａ２は、実施の形態１の把持部分１２Ａ２と同様であるので、この説明を省略する。
【００４０】
こうして、この実施の形態により、配線用表示装置２０を光ファイバコード１００の光コード１１０またはカバー１２４に取り付けることが可能となり、しかも、実施の形態１と同様の効果を達成することができる。
【００４１】
（実施の形態３）
この実施の形態では、実施の形態２の表示具２２を、光ファイバコード１００の光コード１１０およびカバー１２４の両方に取り付けることを可能にしたものである。この実施の形態による配線用表示装置を図９に示す。図９の配線用表示装置３０は、取り付けバンド３１と表示具３２とで構成されている。取り付けバンド３１は、磁石が付く材料、例えば金属製で弾性のある板状のバンドを８の字形状に加工したものである。この８の字形状により、取り付けバンド３１には、第１の円形部３１Ａと第２の円形部３１Ｂとが形成される。
【００４２】
取り付けバンド３１の第１の円形部３１Ａは、表示具３２を光ファイバコード１００のカバー１２４に取り付けるためのものであり、第１の円形部３１Ａには開口３１Ａ１が形成されている。第１の円形部３１Ａでは、少なくとも光コード１１０を通すことができる程度に、開口３１Ａ１の両端部が離れている。つまり、取り付けバンド３１をコネクタプラグ１２０のカバー１２４に嵌合する際に、光コード１１０を開口３１Ａ１に通して行う。
【００４３】
取り付けバンド３１の第２の円形部３１Ｂは、表示具３２を光ファイバコード１００の光コード１１０に取り付けるためのものであり、第２の円形部３１Ｂは第１の円形部３１Ａに連結されている。第１の円形部３１Ａと第２の円形部３１Ｂとが連なる、取り付けバンド３１の部分には、開口３１Ｂ１が形成されている。開口３１Ｂ１の幅は光コード１１０の直径に比べて狭く形成され、第２の円形部３１Ｂが光コード１１０を保持するようにしている。光コード１１０を第２の円形部３１Ｂに入れるときには、取り付けバンド３１を広げるようにする。
【００４４】
配線用表示装置３０の表示具３２は、吸着部分３２Ａ１および把持部分３２Ａ２を備える吸着部３２Ａと、表示札３２Ｂとで構成されるが、これらは実施の形態２において、吸着部分２２Ａ１および把持部分２２Ａ２を備える吸着部２２Ａと、表示札２２Ｂとそれぞれ同様であるので、これらの説明を省略する。
【００４５】
こうして、この実施の形態により、配線用表示装置３０が光ファイバコード１００の光コード１１０とカバー１２４との両方に取り付け可能となり、しかも、実施の形態１と同様の効果を達成することができる。
【００４６】
（実施の形態４）
この実施の形態は、実施の形態２の配線用表示装置２０をさらに簡単にしたものである。この実施の形態による配線用表示装置を図１０に示す。図１０の配線用表示装置４０は、取り付けバンド４１と表示具４２とで構成されている。取り付けバンド４１は、実施の形態２の取り付けバンド２１と同様であるので、その説明を省略する。
【００４７】
表示具４２は、把持部４２Ａと表示札４２Ｂとで構成されている。把持部４２Ａは、実施の形態２の把持部分２２Ａ２と同様であるので、その説明を省略する。表示札４２Ｂは、薄板状のバネを丸めて作ったものであり、通常、丸まった状態にある。バネを丸めるときには、隣接するバネの間隔が疎となるようにする。表示札４２Ｂの一端部は、接着剤等により、取り付けバンド４１の表面に接着され、他端部は、同じく接着剤等により、把持部４２Ａに接着されている。表示札４２Ｂの表面には、光ファイバコード１００の用途・接続先などの記入が可能な紙等が密着して貼り付けられている。
【００４８】
こうした配線用表示装置４０は、丸まっている表示札４２Ｂを解いて伸ばし、取り付けバンド４１が表示札４２Ｂの外側に出た状態で、カバー１２４または光コード１１０に取り付ける。この後、表示札４２Ｂを丸めて元の状態に戻しておく。こうした状態のときに、作業者が配線用表示装置４０の把持部４２Ａを持って、伸ばし方向Ｄ５に引っ張ると、互いの間隔が疎状態で丸まっている表示札４２Ｂが、図１１に示すように、密状態で丸まる。つまり、疎状態で丸まっているときが、表示札４２Ｂの縮んでいる状態であり、密状態で丸まっているときにが、表示札４２Ｂの伸びている状態である。そして、表示札４２Ｂが密状態で丸まっているときに、光ファイバコード１００の用途・接続先などの記入するための記入欄４２Ｂ１が表示札４２Ｂに形成される。
【００４９】
こうして、この実施の形態により、配線用表示装置４０の構造を簡単にして、さらに配線用表示装置４０を小型にすることができる。しかも、実施の形態１と同様の効果を達成することができる。
【００５０】
なお、この実施の形態は、実施の形態１の四角形状をした配線用表示装置１０にも適用することができる。
【００５１】
（実施の形態５）
この実施の形態は、実施の形態１の表示札１２Ｂに比べて長いものを用いた場合に使用されるものであり、図１２に示すように、実施の形態１の吸着部分１２Ａ１の代わりに、吸着部分１２Ａ１１を用いる。なお、この実施の形態では、実施の形態１と同一もしくは同一と見なされる構成要素には、それと同じ参照符号を付けて、その説明を省略する。
【００５２】
表示札１２Ｂは、実施の形態１に比べて長いので、収納時に重なって折れ曲がるように、あらかじめ折り目が付けられている。吸着部分１２Ａ１１は、こうした表示札１２Ｂを収納するために、磁石のような磁気を帯びた材料をコ字状に加工したものである。そして、吸着部分１２Ａ１１は、取り付けバンド１１に吸着している状態のときに、折り畳まれた表示札１２Ｂを、コ字状の窪みに収納する。
【００５３】
こうして、この実施の形態により、長い表示札１２Ｂを用いることが可能になり、しかも、実施の形態１と同様の効果を達成することができる。
【００５４】
（実施の形態６）
この実施の形態は、実施の形態１の取り付けバンド１１が、磁石が付かない材料、例えばプラスチック樹脂で作られている場合に使用されるものであり、図１３に示すように、配線用表示装置１０の表示具１２は、吸着部１２Ａと表示札１２Ｂと吸着用板１２Ｃとで構成されている。なお、この実施の形態では、実施の形態１と同一もしくは同一と見なされる構成要素には、それと同じ参照符号を付けて、その説明を省略する。
【００５５】
表示具１２の吸着用板１２Ｃは金属のような、磁石が付く材料で作られたものであり、磁性を帯びている吸着部分１２Ａ１が吸着する。吸着用板１２Ｃには、実施の形態１と同様に、表示札１２Ｂの端部が接着剤等により接着され、さらに、吸着用板１２Ｃは取り付けバンド１１の脚部１１Ｃに取り付けられている。
【００５６】
こうした構造の実施の形態によれば、実施の形態１と同様にして、取り付けバンド１１は光ファイバコード１００に取り付けられて使用される。
【００５７】
こうして、この実施の形態により、取り付けバンド１１にプラスチック樹脂等の任意の材料を用いることが可能になり、しかも、実施の形態１と同様の効果を達成することができる。
【００５８】
以上、この発明の各実施の形態を詳述してきたが、具体的な構成は各実施の形態に限られるものではなく、この発明の要旨を逸脱しない範囲の設計の変更等があっても、この発明に含まれる。例えば、各実施の形態では、光ファイバコード１００を取り付けの対象にしたが、特に光ファイバコード１００に限定されることなく、この発明による配線用表示装置は各種のコードや、コードを束ねたケーブルに用いることができる。
【図面の簡単な説明】
【００５９】
【図１】この発明の実施の形態１による配線用表示装置と、配線用表示装置が取り付けられる光ファイバコードを示す斜視図である。
【図２】図１の配線用表示装置を拡大して示す斜視図である。
【図３】表示札の伸縮の様子を示す斜視図である。
【図４】配線用表示装置の分解図を示す斜視図である。
【図５】配線用表示装置の他の分解図を示す斜視図である。
【図６】伸縮布を説明する図であり、図６（ａ）は伸縮布を示す斜視図、図６（ｂ）は伸縮布の作りを説明する図である。
【図７】表示札の伸縮の様子を示す図である。
【図８】この発明の実施の形態２による配線用表示装置を示す斜視図である。
【図９】この発明の実施の形態３による配線用表示装置を示す斜視図である。
【図１０】この発明の実施の形態４による配線用表示装置を示す斜視図である。
【図１１】図１０の配線用表示装置を引っ張った状態を示す斜視図である。
【図１２】この発明の実施の形態５による配線用表示装置を示す斜視図である。
【図１３】この発明の実施の形態６による配線用表示装置を示す斜視図である。
【図１４】光配線盤の構成例を示す斜視図である。
【符号の説明】
【００６０】
１０、２０、３０、４０  配線用表示装置
１１、２１、３１、４１  取り付けバンド（取り付け部）
１２、２２、３２、４２  表示具
１２Ａ、２２Ａ、３２Ａ  吸着部
１２Ａ１、２２Ａ１、３２Ａ１  吸着部分（吸着部）
１２Ａ２、２２Ａ２、３２Ａ２、４２Ａ  把持部分（把持部）
１２Ｂ、２２Ｂ、３２Ｂ、４２Ｂ  表示札（表示部）
【図１】
0005074933.tif 000002
【図２】
0005074933.tif 000003
【図３】
0005074933.tif 000004
【図４】
0005074933.tif 000005
【図５】
0005074933.tif 000006
【図６】
0005074933.tif 000007
【図７】
0005074933.tif 000008
【図８】
0005074933.tif 000009
【図９】
0005074933.tif 000010
【図１０】
0005074933.tif 000011
【図１１】
0005074933.tif 000012
【図１２】
0005074933.tif 000013
【図１３】
0005074933.tif 000014
【図１４】
0005074933.tif 000015